(57)【特許請求の範囲】
【請求項１】
記録媒体が配置され、主走査方向に延びるプラテンと、
前記プラテンの上方に配置され、前記記録媒体にインクを吐出するインクヘッドと、
前記プラテンの上方に配置され、前記記録媒体を押さえ、前記主走査方向に並んだピンチローラと、
前記ピンチローラより上方に配置され、主走査方向に向かって延びるフレーム部材と、
前記フレーム部材に設けられ、前記プラテンおよび前記ピンチローラに向かって光を照射する複数のフルカラーＬＥＤと、
前記フルカラーＬＥＤから照射される光を制御する制御装置と、を備え、
前記制御装置は、前記各フルカラーＬＥＤから照射される光の色を変更する光変更部と、前記各フルカラーＬＥＤから照射される光の点灯および消灯を制御する制御部と、を備え、
前記各フルカラーＬＥＤから照射される光は、隣り合う前記フルカラーＬＥＤから前記プラテン上に照射された光の照射範囲が互いに重なるように前記制御装置により制御されている、プリンタ。
【請求項２】
前記フルカラーＬＥＤから照射される光の色を調整可能に構成された操作パネルを備えている、請求項１に記載のプリンタ。
【請求項３】
前記操作パネルには、前記フルカラーＬＥＤから照射可能な全ての色が表示されたカラーバーが表示され、
前記光変更部は、前記フルカラーＬＥＤから照射される光の色を、選択された前記カラーバーのいずれかの色に変更する、請求項２に記載のプリンタ。
【請求項４】
前記操作パネルには、前記フルカラーＬＥＤから照射される光のＲ値、Ｇ値、Ｂ値が表示され、
前記光変更部は、前記操作パネルに表示された前記Ｒ値、前記Ｇ値および前記Ｂ値に基づいて、前記フルカラーＬＥＤから照射される光の色を変更する、請求項２または３のいずれか一項に記載のプリンタ。
【請求項５】
前記光変更部は、前記フルカラーＬＥＤから照射される光の色を、昼光色、昼白色または電球色に変更する、請求項１から４のいずれか一項に記載のプリンタ。
【請求項６】
前記プラテンの内部に設けられ、前記プラテンを加熱するヒータと、
前記プラテンの温度を測定する第１温度センサと、を備え、
前記ヒータが前記プラテンを加熱し、かつ、前記プラテンの温度が所定の温度未満の場合、前記制御部は、前記フルカラーＬＥＤから第１色の光を照射させる、請求項１から５のいずれか一項に記載のプリンタ。
【請求項７】
前記ヒータが前記プラテンを加熱せず、かつ、前記プラテンの温度が所定の温度以上の場合、前記制御部は、前記フルカラーＬＥＤから前記第１色とは異なる第２色の光を照射させる、請求項６に記載のプリンタ。
【請求項８】
前記インクヘッドの温度を測定する第２温度センサを備え、
前記インクヘッドの温度が所定の温度以上の場合、前記制御部は、前記フルカラーＬＥＤから第３色の光を照射させる、請求項１から７のいずれか一項に記載のプリンタ。
【請求項９】
前記インクヘッドの温度が所定の温度未満の場合、前記制御部は、前記フルカラーＬＥＤから前記第３色とは異なる第４色の光を照射させる、請求項８に記載のプリンタ。
【請求項１０】
前記制御装置は、前記インクヘッドを制御するインクヘッド制御部を備え、
前記制御部が前記フルカラーＬＥＤから前記第３色または前記第４色の光を照射させるとき、前記インクヘッド制御部は、前記インクヘッドの作動を停止させる、請求項８または９に記載のプリンタ。
【発明の詳細な説明】
【技術分野】
【０００１】
本発明は、プリンタに関する。
【背景技術】
【０００２】
従来から、インクを記録媒体に吐出するインクヘッドや、記録媒体を切断するカッティングヘッドを備えたプリンタが知られている。近年では、比較的大型のサイズの記録媒体を用いることが可能な大型のプリンタの開発が進んでいる。
【０００３】
例えば、インクヘッドを備えた大型のプリンタでは、記録媒体への印刷はプリンタの比較的内部で行われていることがある。プリンタの内部へ行くほど、外からの光が届かなくなり、プリンタ内部に位置する記録媒体の印刷状態を確認することが困難であるという問題があった。
【０００４】
そこで、本発明者は、プラテンおよびピンチローラに向かって光を照射する複数のＬＥＤをピンチローラより上方に配置することによって、プリンタ内部に位置する記録媒体の視認性を向上させることを見出した。但し、特許文献１は未公知である。
【先行技術文献】
【特許文献】
【０００５】
【特許文献１】特願２０１５−１６９１３４
【発明の概要】
【発明が解決しようとする課題】
【０００６】
しかしながら、上記のようにＬＥＤの配置を工夫することにより記録媒体の視認性を向上させた場合であっても、記録媒体に印刷された印刷物の色によっては、ＬＥＤから照射される特定の色の光の下では確認し難い状況がある。また、記録媒体に印刷された印刷物の色と異なる色（例えば補色の関係にある色）の光をフルカラーＬＥＤから照射した場合であっても、１つのフルカラーＬＥＤから照射される光の照射範囲の縁部分では、意図しない色の光（例えば虹色）が確認されることがある。このため、光の照射範囲の縁部分であっても、記録媒体の印刷状態を正確に確認できるようにすることが望まれる。
【０００７】
本発明はかかる点に鑑みてなされたものであり、その目的は、プラテンに配置された記録媒体において記録媒体の視認性を向上させたプリンタを提供することである。
【課題を解決するための手段】
【０００８】
本発明に係るプリンタは、記録媒体が配置され、主走査方向に延びるプラテンと、前記プラテンの上方に配置され、前記記録媒体にインクを吐出するインクヘッドと、前記プラテンの上方に配置され、前記記録媒体を押さえ、前記主走査方向に並んだピンチローラと、前記ピンチローラより上方に配置され、主走査方向に向かって延びるフレーム部材と、前記フレーム部材に設けられ、前記プラテンおよび前記ピンチローラに向かって光を照射する複数のフルカラーＬＥＤと、前記フルカラーＬＥＤから照射される光を制御する制御装置と、を備え、前記制御装置は、前記各フルカラーＬＥＤから照射される光の色を変更する光変更部と、前記各フルカラーＬＥＤから照射される光の点灯および消灯を制御する制御部と、を備え、前記各フルカラーＬＥＤから照射される光は、隣り合う前記フルカラーＬＥＤから前記プラテン上に照射された光の照射範囲が互いに重なるように前記制御装置により制御されている。
【０００９】
本発明のプリンタは、プラテンおよびピンチローラに向かって光を照射する複数のフルカラーＬＥＤと、フルカラーＬＥＤから照射される光を制御する制御装置と、を備えている。そして、制御装置は、フルカラーＬＥＤから照射される光の色を変更する光変更部と、各フルカラーＬＥＤから照射される光の点灯および消灯を制御する制御部とを備えている。このため、プリンタの状態に関係なく、強制的にフルカラーＬＥＤから照射される光の点灯および消灯を実施できるだけでなく、記録媒体に印刷された印刷物に対して、任意の色の光をフルカラーＬＥＤから照射することができる。従って、作業者は、記録媒体に印刷された印刷物の印刷状況を確認しやすい光の色を適宜に選択し、印刷状態をより正確に確認することができる。また、隣り合うフルカラーＬＥＤからプラテン上に照射された光の照射範囲が互いに重なるように、各フルカラーＬＥＤから照射される光が制御装置により制御されているため、隣り合うフルカラーＬＥＤから照射される光の照射範囲の縁部のうち、互いに重なっている部分には虹色が確認されず、各フルカラーＬＥＤから照射される光が確認されることになる。この結果、１つのフルカラーＬＥＤの光の照射範囲と、これに隣り合う１つのフルカラーＬＥＤの光の照射範囲との間において、記録媒体に印刷された印刷物の印刷状態をより正確に確認することができる。なお、フルカラーＬＥＤから照射される光の色をプリンタの状態に応じて適宜変更することによって、作業者はプリンタの状態を即時に認識することができる。
【発明の効果】
【００１０】
本発明によれば、プラテンに配置された記録媒体において記録媒体の視認性を向上させたプリンタを提供することができる。
【図面の簡単な説明】
【００１１】
【図１】一実施形態に係るインクジェットプリンタを示す斜視図である。
【図２】一実施形態に係るインクジェットプリンタを示す平面図である。
【図３】一実施形態に係る制御装置の構成を示すブロック図である。
【図４】一実施形態に係るインクジェットプリンタの一部を拡大した正面図である。
【図５】一実施形態に係るインクジェットプリンタを示す斜視図である。
【図６】一実施形態に係るインクジェットプリンタの一部を拡大した平面図である。
【図７】フルカラーＬＥＤからの光が照射される記録媒体および印刷領域を示す模式図である。
【図８】フルカラーＬＥＤからの光が照射される記録媒体および印刷領域を示す模式図である。
【図９】フルカラーＬＥＤから照射される光の色に関する情報が操作パネルの表示画面に表示された状態を示す模式図である。
【図１０】フルカラーＬＥＤから照射される光の色に関する他の情報が操作パネルの表示画面に表示された状態を示す模式図である。
【図１１】フルカラーＬＥＤから照射される光の色に関する他の情報が操作パネルの表示画面に表示された状態を示す模式図である。
【発明を実施するための形態】
【００１２】
以下、図面を参照しながら、本発明の実施形態に係るインクジェットプリンタについて説明する。なお、ここで説明される実施形態は、当然ながら特に本発明を限定することを意図したものではない。また、同じ作用を奏する部材・部位には同じ符号を付し、重複する説明は適宜省略または簡略化する。
【００１３】
図１は、本実施形態に係るインクジェットプリンタ１０を示す斜視図である。図１に示すように、インクジェットプリンタ１０は、記録媒体１２に印刷を行う。記録媒体１２は、例えば、記録紙である。ただし、記録媒体１２は、記録紙に限定されない。例えば、記録媒体１２は、シート状のメディア、例えば、樹脂製のシートなどであってもよい。
【００１４】
以下の説明では、左、右、上、下とは、インクジェットプリンタ１０の正面にいる作業者から見た左、右、上、下をそれぞれ意味することとする。また、インクジェットプリンタ１０から上記作業者に近づく方を前方、遠ざかる方を後方とする。図面中の符号Ｆ、Ｒｒ、Ｌ、Ｒ、Ｕ、Ｄは、それぞれ前、後、左、右、上、下を表す。後述するインクヘッド８０（図２参照）は左方および右方に移動可能である。記録媒体１２は、前方および後方に搬送可能である。本実施形態では、インクヘッド８０の移動方向を主走査方向Ｙといい、記録媒体１２の搬送方向を副走査方向Ｘという。ここでは、主走査方向Ｙは左右方向に対応し、副走査方向Ｘは前後方向に対応する。主走査方向Ｙと副走査方向Ｘとは直交している。ただし、主走査方向Ｙおよび副走査方向Ｘは特に限定される訳ではなく、インクジェットプリンタ１０の形態等に応じて適宜に設定可能である。
【００１５】
図２に示すように、インクジェットプリンタ１０は、本体部１５と、プラテン１６と、左側方部２２と、右側方部２４と、左脚部２６と、右脚部２８と、を備えている。本体部１５は、左右方向に延びる。本体部１５の左方には、左側方部２２が配置されている。本体部１５の右方には、右側方部２４が配置されている。本体部１５の前部には、プラテン１６が設けられている。プラテン１６の主走査方向Ｙの一の端部である左端部には、上下方向に延びる第１側壁１４Ａが設けられている。プラテン１６の主走査方向Ｙの他の一の端部である右端部には、上下方向に延びる第２側壁１４Ｂが設けられている。第１側壁１４Ａおよび第２側壁１４Ｂは、本体部１５に取り付けられている。左脚部２６および右脚部２８は、本体部１５の下部に取り付けられている。
【００１６】
図１に示すように、インクジェットプリンタ１０は、第１カバー部材１５Ａと、第２カバー部材２２Ａと、第３カバー部材２４Ａとを備えている。第１カバー部材１５Ａは、本体部１５の上方および後方を覆う。第２カバー部材２２Ａは、本体部１５の左端部と、左側方部２２を覆う。第３カバー部材２４Ａは、本体部１５の右端部と、右側方部２４を覆う。第１カバー部材１５Ａには、第１カバー部材１５Ａの前端を中心に回動可能なフロントカバー１５Ｈが設けられている。フロントカバー１５Ｈは、光を透過することが可能な材料であれば、特に限定されない。本実施形態では、フロントカバー１５Ｈは、透明なアクリル樹脂で形成されている。フロントカバー１５Ｈを通して、作業者は記録媒体の１２の印刷状態等を確認することができる。フロントカバー１５Ｈには、取っ手１５Ｍが設けられている。作業者がとって１５Ｍを前方に引き上げることによって、フロントカバー１５Ｈが開く。なお、図２において、第１カバー部材１５Ａ、第２カバー部材２２Ａおよび第３カバー部材２４Ａは、便宜上図示を省略している。
【００１７】
図２に示すように、プラテン１６には、記録媒体１２が配置される。プラテン１６は、記録媒体１２を支持する。プラテン１６は、主走査方向Ｙに延びる。プラテン１６は、平面部１６Ａと、湾曲部１６Ｂとを備えている。平面部１６Ａには、記録媒体１２の端部１２Ａが配置される位置合わせ部１７が設けられている。本実施形態の位置合わせ部１７は、副走査方向Ｘに延びる溝である。なお、位置合わせ部１７は、副走査方向Ｘに延びる目印であってもよいし、突起であってもよい。位置合わせ部１７は、後述のピンチローラ２０のうち、最も右方に位置するピンチローラ２０の前方に形成されている。湾曲部１６Ｂは、平面部１６Ａの前縁１６ＡＡから前斜め下方に向けて湾曲する。湾曲部１６Ｂは、平面部１６Ａから離れるほど湾曲が大きくなる。プラテン１６の内部には、ヒータ３５が設けられている。プラテン１６は、ヒータ３５によって加熱される。ヒータ３５は、プラテン１６の表面を暖める。記録媒体１２に吐出されたインクは、プラテン１６において暖められ、乾燥が促進される。本実施形態では、ヒータ３５はプラテン１６の平面部１６Ａに設けられている。
【００１８】
図２に示すように、インクジェットプリンタ１０は、第１温度センサ９１を備えている。第１温度センサ９１は、プラテン１６の平面部１６Ａの温度を測定する。第１温度センサ９１は、プラテン１６の内部に設けられている。第１温度センサ９１で測定されたプラテン１６の平面部１６Ａの温度情報は、制御装置７０に送られる。
【００１９】
図２に示すように、プラテン１６には、記録媒体１２を搬送する搬送機構として、円筒状のグリッドローラ１８が複数設けられている。グリッドローラ１８は、主走査方向Ｙに並んで配置されている。グリッドローラ１８は、その上面を露出させた状態でプラテン１６に埋設されている。グリッドローラ１８は、フィードモータ５５（図３参照）によって駆動される。フィードモータ５５は後述する制御装置７０に制御される。
【００２０】
図２に示すように、インクジェットプリンタ１０は、プラテン１６の上方に配置された複数のピンチローラ２０を備えている。ピンチローラ２０は、主走査方向Ｙに並んで配置されている。ピンチローラ２０は、グリッドローラ１８より上方に配置されている。ピンチローラ２０は、グリッドローラ１８に対向している。ピンチローラ２０は、記録媒体１２の厚さに応じて上下方向の位置を設定可能に構成されている。ピンチローラ２０は、記録媒体１２を押さえる。グリッドローラ１８およびピンチローラ２０は、記録媒体１２を挟持しながら記録媒体１２を副走査方向Ｘ（前後方向）に搬送可能に構成されている。
【００２１】
図４に示すように、インクジェットプリンタ１０は、ガイドレール３０を備えている。ガイドレール３０は、プラテン１６の上方に配置されている。ガイドレール３０は、ピンチローラ２０より上方に配置されている。ガイドレール３０は、プラテン１６と平行に配置され、左右方向に延びている。
【００２２】
図２に示すように、インクジェットプリンタ１０は、インクヘッド８０を備えている。インクヘッド８０は、プラテン１６の上方に配置されている。インクヘッド８０は、インクを記録媒体１２に吐出する。インクヘッド８０は、インクを吐出するノズル（図示せず）を有している。インクヘッド８０は、ガイドレール３０を摺動自在に移動するキャリッジ８１に設けられている。インクヘッド８０は、インクを収容するインク収容体としての複数のインクカートリッジ８５（図１参照）に接続されている。インクカートリッジ８５は、後述するフレーム部材４０の上方に配置されている。インクカートリッジ８５は、第２カバー部材２２Ａ内に収容されている。
【００２３】
図２に示すように、インクジェットプリンタ１０は、第２温度センサ９２を備えている。第２温度センサ９２は、インクヘッド８０の温度を測定する。第２温度センサ９２は、インクヘッド８０に取り付けられている。第２温度センサ９２で測定されたインクヘッド８０の温度情報は、制御装置７０に送られる。第２温度センサ９２は、キャリッジ８１に設けられていてもよい。
【００２４】
図２に示すように、インクジェットプリンタ１０は、カッティングヘッド８２を備えている。カッティングヘッド８２は、記録媒体１２を切断する。カッティングヘッド８２は、カッター（図示せず）を有している。カッティングヘッド８２は、ガイドレール３０を摺動自在に移動するキャリッジ８３に設けられている。
【００２５】
図４に示すように、インクジェットプリンタ１０は、フレーム部材４０を備えている。フレーム部材４０は、ピンチローラ２０より上方に配置されている。フレーム部材４０は、第１側壁１４Ａ（図２参照）および第２側壁１４Ｂに支持されている。本実施形態では、フレーム部材４０は、左側方部２２（図２参照）に支持されている。フレーム部材４０は、主走査方向Ｙに延びる。図２に示すように、フレーム部材４０は、平面視でプラテン１６と重なる。フレーム部材４０は、平面視でプラテン１６の平面部１６Ａと重なる。フレーム部材４０は、ピンチローラ２０より前方に配置されている。フレーム部材４０は、プラテン１６の湾曲部１６Ｂより後方に配置されている。フレーム部材４０には、後述するフルカラーＬＥＤ５０を搭載する複数の回路基板４２が設けられている。図４に示すように、フレーム部材４０には、複数の開口４４が形成されている。開口４４は、フルカラーＬＥＤ５０の下方に形成されている。開口４４は、平面視でフルカラーＬＥＤ５０と重なる位置に形成されている。
【００２６】
図４に示すように、インクジェットプリンタ１０は、複数のフルカラーＬＥＤ５０を備えている。フルカラーＬＥＤ５０は、赤、緑、青の各色彩光をそれぞれ発する３種類の発光素子が１つのパッケージに封入されて構成されている。フルカラーＬＥＤ５０の各発光素子を個別に制御することによって、様々な色の光を発することができる。
【００２７】
図４に示すように、フルカラーＬＥＤ５０は、ピンチローラ２０より上方に配置されている。フルカラーＬＥＤ５０は、フレーム部材４０に設けられている。フルカラーＬＥＤ５０は、主走査方向Ｙに並んで配置されている。フルカラーＬＥＤ５０は、回路基板４２に搭載されている。回路基板４２に搭載されたフルカラーＬＥＤ５０は、略等間隔に配置されている。フルカラーＬＥＤ５０は、例えば５０ｍｍ〜１００ｍｍ程度の間隔に配置されている。本実施形態では、各回路基板４２には３つのフルカラーＬＥＤ５０が配置されている。なお、回路基板４２の枚数および回路基板４２に配置されるフルカラーＬＥＤ５０の数は上記構成に限定されない。ピンチローラ２０とピンチローラ２０との間には、少なくとも一つのフルカラーＬＥＤ５０が配置されている。例えば、図４に示す例では、ピンチローラ２０Ａとピンチローラ２０Ｂとの間にフルカラーＬＥＤ５０Ｂ、フルカラーＬＥＤ５０ＣおよびフルカラーＬＥＤ５０Ｄが配置されている。フルカラーＬＥＤ５０Ｂ、フルカラーＬＥＤ５０ＣおよびフルカラーＬＥＤ５０Ｄは、ピンチローラ２０Ａよりピンチローラ２０Ｂ側（即ちピンチローラ２０Ａより右方）に配置されている。フルカラーＬＥＤ５０Ｂ、フルカラーＬＥＤ５０ＣおよびフルカラーＬＥＤ５０Ｄは、ピンチローラ２０Ｂよりピンチローラ２０Ａ側（即ちピンチローラ２０Ｂより左方）に配置されている。図２に示すように、フルカラーＬＥＤ５０は、平面視で、プラテン１６の平面部１６Ａの前縁１６ＡＡとピンチローラ２０との間に配置されている。フルカラーＬＥＤ５０は、平面視で、プラテン１６の平面部１６Ａの前縁１６ＡＡとピンチローラ２０との中間点Ｍよりピンチローラ２０側に配置されている。フルカラーＬＥＤ５０は、平面視で、中間点Ｍより後方に配置されている。本実施形態では、中間点Ｍは、ピンチローラ２０の主走査方向Ｙに延びる軸心から副走査方向Ｘに延びる直線上にある点であって、ピンチローラ２０の軸心からの距離と前縁１６ＡＡからの距離とが等しくなる点である。
【００２８】
図５に示すように、フルカラーＬＥＤ５０は、プラテン１６に向かって光を照射する。図６に示すように、フルカラーＬＥＤ５０は、プラテン１６およびピンチローラ２０に向かって光を照射する。フルカラーＬＥＤ５０の光は、フレーム部材４０に形成された開口４４（図４参照）を介してプラテン１６およびピンチローラ２０に照射される。図５に示すように、フルカラーＬＥＤ５０（図４参照）は、プラテン１６の平面部１６Ａに向かって光を照射する。図５中、符号５０Ｘは、フルカラーＬＥＤ５０から照射された光の照射範囲を示す。フルカラーＬＥＤ５０から照射される光は、隣り合うフルカラーＬＥＤ５０からプラテン１６上に照射された光の照射範囲５０Ｘが互いに重なるように後述する制御装置７０（図２参照）に制御される。図６に示すように、フルカラーＬＥＤ５０のうち、最も右方に位置するフルカラーＬＥＤ５０Ａは、位置合わせ部１７に向かって光を照射する。位置合わせ部１７は、フルカラーＬＥＤ５０Ａの光の照射範囲５０Ｘ内に位置する。フルカラーＬＥＤ５０は、記録媒体１２の印刷領域１２Ｘを含む領域のみに向かって光を照射するように構成されている。例えば、図７に示す例では、フルカラーＬＥＤ５０Ａ〜フルカラーＬＥＤ５０Ｇは記録媒体１２の印刷領域１２Ｘを照射するが、フルカラーＬＥＤ５０ＨおよびフルカラーＬＥＤ５０Ｉは記録媒体１２の印刷領域１２Ｘを照射しない。すなわち、フルカラーＬＥＤ５０Ａ〜フルカラーＬＥＤ５０Ｇの光の照射範囲５０Ｘは、印刷領域１２Ｘと重なるが、フルカラーＬＥＤ５０ＨおよびフルカラーＬＥＤ５０Ｉの光の照射範囲５０Ｘは、印刷領域１２Ｘと重ならない。このため、フルカラーＬＥＤ５０ＨおよびフルカラーＬＥＤ５０Ｉは、光を照射しないように後述する制御装置７０（図２参照）に制御される。また、図８に示す例では、フルカラーＬＥＤ５０Ａ〜フルカラーＬＥＤ５０Ｄは記録媒体１２の印刷領域１２Ｘを照射するが、フルカラーＬＥＤ５０Ｅ〜フルカラーＬＥＤ５０Ｉは記録媒体１２の印刷領域１２Ｘを照射しない。すなわち、フルカラーＬＥＤ５０Ａ〜フルカラーＬＥＤ５０Ｄの光の照射範囲５０Ｘは、印刷領域１２Ｘと重なるが、フルカラーＬＥＤ５０Ｅ〜フルカラーＬＥＤ５０Ｉの光の照射範囲５０Ｘは、印刷領域１２Ｘと重ならない。このため、フルカラーＬＥＤ５０Ｅ〜フルカラーＬＥＤ５０Ｉは、光を照射しないように制御装置７０に制御される。本明細書において、印刷領域１２Ｘは、インクヘッド８０からインクが吐出される領域と、カッティングヘッド８２が記録媒体１２をカッティングする領域と、を含む概念である。
【００２９】
図１に示すように、インクジェットプリンタ１０は、操作パネル６０を備えている。操作パネル６０は、フルカラーＬＥＤ５０から照射される光の色を調整可能に構成されている。操作パネル６０は、押しボタン等からなる複数の操作子６２と、表示画面６４とを備えている。なお、操作子６２に代えて、表示画面６４にタッチパネルを設けてもよい。操作パネル６０の表示画面６４には、フルカラーＬＥＤ５０から照射される光の色に関する情報が表示される。
【００３０】
図９に示すように、操作パネル６０（図１参照）の表示画面６４には、フルカラーＬＥＤ５０から照射可能な全ての色が表示されたカラーバー６５と、カーソル６９とが表示される。本実施形態においてカラーバーとは、色相を表示するものである。作業者は、操作子６２を操作してカーソル６９を動かすことによって、特定の色を選択することができる。カラーバー６５に基づいて、フルカラーＬＥＤ５０から照射される光の色を選択する場合、作業者は色を事前に確認することができるため、光の色の選択が容易である。
【００３１】
また、図１０に示すように、操作パネル６０（図１参照）の表示画面６４には、フルカラーＬＥＤ５０から照射される光のＲ値６６Ａ、Ｇ値６６Ｂ、Ｂ値６６Ｃと、カーソル６９とを表示させてもよい。作業者は、操作子６２を操作してカーソル６９を動かし、各Ｒ値６６Ａ、Ｇ値６６Ｂ、Ｂ値６６Ｃを調整することができる。これにより、表示画面６４が白黒液晶の場合であっても、フルカラーＬＥＤ５０から照射される光の色を調整することができる。
【００３２】
また、図１１に示すように、操作パネル６０（図１参照）の表示画面６４には、予め記憶された光の色を文字によって表示させてもよい。本実施形態では、例えば、後述する記憶部７２に予め記憶された昼光色、昼白色および電球色を、それぞれ昼光色という文字６８Ａ、昼白色という文字６８Ｂおよび電球色という文字６８Ｃによって表示画面６４に表示させてもよい。ここで、昼光色、昼白色および電球色は、ＪＩＳ  Ｚ９１１２に規定された光源色である。作業者は、操作子６２を操作してカーソル６９を動かすことによって、予め記憶された昼光色、昼白色および電球色のいずれかを選択することができる。なお、フルカラーＬＥＤ５０から照射される光の色を表示する文字は上記のものに限定されない。
【００３３】
図２に示すように、インクジェットプリンタ１０は、制御装置７０を備えている。インクジェットプリンタ１０の全体の動作は、制御装置７０によって制御されている。制御装置７０は、インクヘッド８０、カッティングヘッド８２およびフルカラーＬＥＤ５０にそれぞれ接続されている。本実施形態では、制御装置７０として、マイクロコンピューターを備えている。制御装置７０は、左側方部２２に設けられている。
【００３４】
図３に示すように、制御装置７０は、記憶部７２と、光変更部７４と、判定部７５と、制御部７６と、インクヘッド制御部７７と、カッティングヘッド制御部７８と、を備えている。制御装置７０は、フルカラーＬＥＤ５０から照射される光を制御する。
【００３５】
記憶部７２は、操作パネル６０の表示画面６４に表示されるカラーバー６５（図９参照）、フルカラーＬＥＤ５０から照射される光のＲ値６６Ａ、Ｇ値６６Ｂ、Ｂ値６６Ｃ（図１０参照）等を予め記憶している。記憶部７２は、昼光色、昼白色および電球色を予め記憶している。記憶部７２は、インクジェットプリンタ１０が所定の状態であるときのフルカラーＬＥＤ５０から照射される光の色を予め記憶している。記憶部７２は、例えば、ヒータ３５（図２参照）の暖機中、即ち、ヒータ３５がプラテン１６（図２参照）を加熱し、かつ、プラテン１６の温度が所定の温度未満（例えば４５℃〜６０℃未満）の場合には、フルカラーＬＥＤ５０から照射される光の色として第１色を記憶している。本実施形態では、第１色は例えば黄色である。また、記憶部７２は、例えば、ヒータ３５（図２参照）の冷却中、即ち、ヒータ３５がプラテン１６を加熱せず、かつ、プラテン１６の温度が所定の温度以上（例えば４５℃〜６０℃以上）の場合には、フルカラーＬＥＤ５０から照射される光の色として第１色とは異なる第２色を記憶している。本実施形態では、第２色は例えば青色である。さらに、記憶部７２は、例えば、インクヘッド８０（図２参照）の高温異常時、即ち、インクヘッド８０の温度が所定の温度以上（例えば６０℃〜７０℃以上）の場合には、フルカラーＬＥＤ５０から照射される光の色として第３色を記憶している。第３色は、第１色または第２色と同じであってもよい。本実施形態では、第３色は例えば黄色である。また、記憶部７２は、例えば、インクヘッド８０の低温異常時、即ち、インクヘッド８０の温度が所定の温度未満（例えば１０℃〜１５℃未満）の場合には、フルカラーＬＥＤ５０から照射される光の色として第３色とは異なる第４色を記憶している。本実施形態では、第４色は例えば青色である。
【００３６】
光変更部７４は、各フルカラーＬＥＤ５０から照射される光の色を変更する。色は、色調、彩度および明度の少なくともいずれか変更することによって変更することができる。光変更部７４は、フルカラーＬＥＤ５０から照射される光の色をカラーバー６５（図９参照）のいずれかの色に変更する。即ち、作業者が操作パネル６０の表示画面６４に表示されたカラーバー６５の所定の色を選択した場合、光変更部７４は、フルカラーＬＥＤ５０から照射される光の色を選択された色に変更する。また、光変更部７４は、表示画面６４に表示されたＲ値６６Ａ、Ｇ値６６Ｂ、Ｂ値６６Ｃ（図１０参照）に基づいて、フルカラーＬＥＤ５０から照射される光の色を変更してもよい。即ち、作業者が操作パネル６０の表示画面６４に表示されたＲ値６６Ａ、Ｇ値６６Ｂ、Ｂ値６６Ｃを調整することによって所定の色を選択した場合、光変更部７４は、フルカラーＬＥＤ５０から照射される光の色を選択された色に変更してもよい。また、光変更部７４は、フルカラーＬＥＤ５０から照射される光の色を、昼光色、昼白色または電球色に変更してもよい。即ち、作業者が操作パネル６０の表示画面６４に表示された昼光色という文字６８Ａ、昼白色という文字６８Ｂおよび電球色という文字６８Ｃからいずれかの文字を選択した場合、光変更部７４は、フルカラーＬＥＤ５０から照射される光の色を選択された色に変更してもよい。さらに、光変更部７４は、インクジェットプリンタ１０の状態に応じてフルカラーＬＥＤ５０から照射される光の色を記憶部７２に予め記憶された色に変更する。
【００３７】
判定部７５は、ヒータ３５（図２参照）がプラテン１６（図２参照）を加熱しているか否かを判定する。判定部７５は、第１温度センサ９１に基づいて、プラテン１６の温度が所定の温度未満（例えば４５℃〜６０℃未満）であるか否かを判定する。判定部７５は、第１温度センサ９１に基づいて、プラテン１６の温度が所定の温度以上（例えば４５℃〜６０℃以上）であるか否かを判定する。判定部７５は、第２温度センサ９２に基づいて、インクヘッド８０（図２参照）の温度が所定の温度以上所定の温度以上（例えば６０℃〜７０℃以上）であるか否かを判定する。判定部７５は、第２温度センサ９２に基づいて、インクヘッド８０の温度が所定の温度未満所定の温度未満（例えば１０℃〜１５℃未満）であるか否かを判定する。
【００３８】
制御部７６は、各フルカラーＬＥＤ５０から照射される光の点灯および消灯を制御する。フルカラーＬＥＤ５０から照射される光は、制御部７６によって点灯、消灯および点滅する。制御部７６は、インクジェットプリンタ１０の状態に応じてフルカラーＬＥＤ５０から照射される光の点灯および消灯を制御する。制御部７６は、インクジェットプリンタ１０の状態に応じてフルカラーＬＥＤ５０に供給する電流を変更することによって、フルカラーＬＥＤ５０から照射される光の点灯状態、すなわち照度を制御する。例えば、ヒータ３５（図２参照）がプラテン１６（図２参照）を加熱し、かつ、プラテン１６の温度が所定の温度未満であると判定部７５によって判定された場合、制御部７６は、フルカラーＬＥＤ５０から第１色の光を照射させる。また、ヒータ３５がプラテン１６を加熱せず、かつ、プラテン１６の温度が所定の温度以上であると判定部７５によって判定された場合、制御部７６は、フルカラーＬＥＤ５０から第２色の光を照射させる。さらに、インクヘッド８０（図２参照）の温度が所定の温度以上であると判定部７５によって判定された場合、制御部７６は、フルカラーＬＥＤ５０から第３色の光を照射させる。また、インクヘッド８０（図２参照）の温度が所定の温度未満であると判定部７５によって判定された場合、制御部７６は、フルカラーＬＥＤ５０から第４色の光を照射させる。
【００３９】
【表１】
0006646492.tif 000002
【００４０】
例えば、表１に示すように、インクジェットプリンタ１０の電源がＯＦＦの場合、制御装置７０にも電源が供給されておらず、フルカラーＬＥＤ５０には電流が供給されないため、フルカラーＬＥＤ５０は消灯する。また、（１）インクジェットプリンタ１０が待機中の場合、および、（２）定期メンテナンスを行う場合、制御部７６はフルカラーＬＥＤ５０に電流を供給しないため、フルカラーＬＥＤ５０は消灯する。
【００４１】
一方、表１に示すように、（１）インクヘッド８０およびカッティングヘッド８２の原点位置を設定する場合、（２）フロントカバー１５Ｈを開けた場合、（３）テスト印刷を行う場合、（４）テスト印刷を終了した場合、（５）インクジェットプリンタ１０が印刷またはカッティング作業を行っている場合、（６）印刷を終了した場合、（７）インクジェットプリンタ１０が印刷またはカッティング作業を一時停止している場合、および、（８）インクヘッド８０のクリーニングを行っている場合、（９）ヒータ３５の暖機中の場合、および、（１０）ヒータ３５の冷却中の場合、制御部７６はフルカラーＬＥＤ５０に電流を供給するため、フルカラーＬＥＤ５０は点灯する。即ち、フルカラーＬＥＤ５０から表１に示す色の光が照射される。なお、上記（３）〜（６）のときには、通常、作業者が操作パネル６０を操作することによって、フルカラーＬＥＤ５０から照射される光の色を任意の色とする。
【００４２】
さらに、（１）インクヘッド高温異常時の場合、および、（２）インクヘッド低温異常時の場合、制御部７６はフルカラーＬＥＤ５０に電流を断続的に供給するため、フルカラーＬＥＤ５０は点滅する。なお、インクジェットプリンタ１０の状態と、フルカラーＬＥＤ５０の状態およびフルカラーＬＥＤ５０から照射される光の色とは上記組み合わせに限定されない。また、フルカラーＬＥＤ５０の点滅の間隔を適宜変更してもよい。また、インクジェットプリンタ１０に設けられた操作パネル６０（図１参照）やインクジェットプリンタ１０とは別体に設けられたインクジェットプリンタ１０を制御するコントローラ（図示せず）等を作業者が操作することによって、インクジェットプリンタ１０の状態に関係なく、強制的にフルカラーＬＥＤ５０から照射される光の点灯および消灯を実施できるように構成されていてもよい。
【００４３】
インクヘッド制御部７７は、インクヘッド８０（図２参照）を制御する。インクヘッド制御部７７は、キャリッジ８１（図２参照）の移動を制御する。インクヘッド制御部７７は、インクヘッド８０から記録媒体１２に吐出するインクの量やタイミング等を制御する。制御部７６がフルカラーＬＥＤ５０から第３色または第４色の光を照射させるとき、インクヘッド制御部７７は、インクヘッド８０の作動を停止させてもよい。即ち、インクヘッド８０の高温異常時および低温異常時には、インクヘッド制御部７７は、インクヘッド８０の作動を停止させてもよい。
【００４４】
カッティングヘッド制御部７８は、カッティングヘッド８２（図２参照）を制御する。カッティングヘッド制御部７８は、キャリッジ８３（図２参照）の移動を制御する。
【００４５】
以上のように、本実施形態のインクジェットプリンタ１０は、プラテン１６およびピンチローラ２０に向かって光を照射する複数のフルカラーＬＥＤ５０と、フルカラーＬＥＤ５０から照射される光を制御する制御装置７０と、を備えている。そして、制御装置７０は、フルカラーＬＥＤ５０から照射される光の色を変更する光変更部７４と、各フルカラーＬＥＤ５０から照射される光の点灯および消灯を制御する制御部７６とを備えている。このため、インクジェットプリンタ１０の状態に関係なく、強制的にフルカラーＬＥＤ５０から照射される光の点灯および消灯を実施できるだけでなく、記録媒体１２に印刷された印刷物に対して、任意の色の光をフルカラーＬＥＤ５０から照射することができる。従って、作業者は、記録媒体１２に印刷された印刷物の印刷状況を確認しやすい光の色を適宜に選択し、印刷状態をより正確に確認することができる。また、隣り合うフルカラーＬＥＤ５０からプラテン１６上に照射された光の照射範囲５０Ｘが互いに重なるように、各フルカラーＬＥＤ５０から照射される光が制御装置７０により制御されているため、隣り合うフルカラーＬＥＤ５０から照射される光の照射範囲５０Ｘの縁部のうち、互いに重なっている部分には虹色が確認されず、各フルカラーＬＥＤ５０から照射される光が確認されることになる。この結果、１つのフルカラーＬＥＤ５０の光の照射範囲５０Ｘと、これに隣り合う１つのフルカラーＬＥＤ５０の光の照射範囲５０Ｘとの間において、記録媒体１２に印刷された印刷物の印刷状態をより正確に確認することができる。なお、フルカラーＬＥＤ５０から照射される光の色をインクジェットプリンタ１０の状態に応じて適宜変更することによって、作業者はインクジェットプリンタ１０の状態を即時に認識することができる。
【００４６】
本実施形態のインクジェットプリンタ１０は、図１に示すように、フルカラーＬＥＤ５０（図２参照）から照射される光の色を調整可能に構成された操作パネル６０を備えている。これにより、作業者は操作パネル６０を操作することによって、フルカラーＬＥＤ５０から照射される光の色を適宜変更することができる。
【００４７】
本実施形態のインクジェットプリンタ１０によれば、図９に示すように、操作パネル６０の表示画面６４には、フルカラーＬＥＤ５０から照射可能な全ての色が表示されたカラーバー６５が表示され、光変更部７４は、フルカラーＬＥＤ５０から照射される光の色を、選択されたカラーバー６５のいずれかの色に変更する。これにより、作業者はカラーバー６５に表示された色を選択することによって、フルカラーＬＥＤ５０から照射される光の色を適宜変更することができる。
【００４８】
なお、図１０に示すように、操作パネル６０の表示画面６４には、フルカラーＬＥＤ５０から照射される光のＲ値６６Ａ、Ｇ値６６Ｂ、Ｂ値６６Ｃが表示され、光変更部７４は、表示画面６４に表示されたＲ値６６Ａ、Ｇ値６６ＢおよびＢ値６６Ｃに基づいて、フルカラーＬＥＤ５０から照射される光の色を変更してもよい。これにより、作業者はフルカラーＬＥＤ５０のＲ値６６Ａ、Ｇ値６６Ｂ、Ｂ値６６Ｃを調整することによって、フルカラーＬＥＤ５０から照射される光の色を適宜変更することができる。
【００４９】
また、図１１に示すように、光変更部７４は、フルカラーＬＥＤ５０から照射される光の色を、昼光色、昼白色または電球色に変更してもよい。このように、作業者はフルカラーＬＥＤ５０から照射される光の色を昼光色、昼白色または電球色に変更することによって、記録媒体１２に印刷された印刷物が実際に配置される場所での色合い等を確認することができる。
【００５０】
本実施形態のインクジェットプリンタ１０は、図２に示すように、プラテン１６の内部に設けられ、プラテン１６を加熱するヒータ３５と、プラテン１６の温度を測定する第１温度センサ９１と、を備えている。ヒータ３５がプラテン１６を加熱し、かつ、プラテン１６の温度が所定の温度未満の場合、制御部７６は、フルカラーＬＥＤ５０から第１色の光を照射させる。このように、作業者はフルカラーＬＥＤ５０から第１色の光が照射されていることを確認することによって、ヒータ３５がプラテン１６を加熱しているが、プラテン１６の温度が所定の温度未満であるというインクジェットプリンタ１０の所定の状態を認識することができる。
【００５１】
本実施形態のインクジェットプリンタ１０によれば、ヒータ３５がプラテン１６を加熱せず、かつ、プラテン１６の温度が所定の温度以上の場合、制御部７６は、フルカラーＬＥＤ５０から第１色とは異なる第２色の光を照射させる。このように、作業者はフルカラーＬＥＤ５０から第２色の光が照射されていることを確認することによって、ヒータ３５がプラテン１６を加熱しておらず、プラテン１６の温度が所定の温度以上であるというインクジェットプリンタ１０の所定の状態を認識することができる。
【００５２】
本実施形態のインクジェットプリンタ１０は、図２に示すように、インクヘッド８０の温度を測定する第２温度センサ９２を備えている。インクヘッド８０の温度が所定の温度以上の場合、制御部７６は、フルカラーＬＥＤ５０から第３色の光を照射させる。このように、作業者はフルカラーＬＥＤ５０から第３色の光が照射されていることを確認することによって、インクヘッド８０の温度が所定の温度以上であるというインクジェットプリンタ１０の所定の状態を認識することができる。
【００５３】
本実施形態のインクジェットプリンタ１０によれば、インクヘッド８０の温度が所定の温度未満の場合、制御部７６は、フルカラーＬＥＤ５０から第３色とは異なる第４色の光を照射させる。このように、作業者はフルカラーＬＥＤ５０から第４色の光が照射されていることを確認することによって、インクヘッド８０の温度が所定の温度未満であるというインクジェットプリンタ１０の所定の状態を認識することができる。
【００５４】
本実施形態のインクジェットプリンタ１０によれば、図３に示すように、制御装置７０は、インクヘッド８０を制御するインクヘッド制御部７７を備えている。制御部７６がフルカラーＬＥＤ５０から第３色または第４色の光を照射させるとき、インクヘッド制御部７７は、インクヘッド８０の作動を停止させる。インクヘッド８０の温度が所定の範囲内にない場合には、印刷性能が低下する虞があるため、インクヘッド８０の作動を停止させることによって、記録媒体１２に印刷された品質の低下を未然に防止することができる。
【００５５】
以上、本発明の実施形態について説明した。しかし、上述の実施形態は例示に過ぎず、本発明は他の種々の形態で実施することが可能である。
【００５６】
インクジェットプリンタ１０の制御装置７０の記憶部７２と、光変更部７４と、判定部７５と、制御部７６と、インクヘッド制御部７７と、カッティングヘッド制御部７８とは、ソフトウェアによって構成されていてもよい。即ち、上記各部は、コンピュータプログラムがコンピュータに読み込まれることにより、当該コンピュータによって実現されるようになっていてもよい。本発明には、コンピュータを上記各部として機能させるためのコンピュータプログラムが含まれる。また、本発明には、当該コンピュータプログラムが記録されたコンピュータ読み取り可能な記録媒体が含まれる。また、上記各部は、インクジェットプリンタ１０に構成された回路によって実現されるものであってもよい。
【符号の説明】
【００５７】
１０  インクジェットプリンタ
１２  記録媒体
１６  プラテン
２０  ピンチローラ
３５  ヒータ
５０  フルカラーＬＥＤ
６０  操作パネル
７０  制御装置
７４  光変更部
７６  制御部
８０  インクヘッド
９１  第１温度センサ
９２  第２温度センサ
【図１】
0006646492.tif 000003
【図２】
0006646492.tif 000004
【図３】
0006646492.tif 000005
【図４】
0006646492.tif 000006
【図５】
0006646492.tif 000007
【図６】
0006646492.tif 000008
【図７】
0006646492.tif 000009
【図８】
0006646492.tif 000010
【図９】
0006646492.tif 000011
【図１０】
0006646492.tif 000012
【図１１】
0006646492.tif 000013